(57)【要約】  本出願は、信号伝送方法および機器を開示し、前記信号伝送方法は、受信ノードが、送信ノードによって送信された送信要求信号を受信することと、前記受信ノードが、送信許可信号の送信パワーおよび／または信号フォーマットを決定することと、前記受信ノードが、前記送信パワーおよび／または信号フォーマットに従って、前記送信許可信号を前記送信ノードに送信することとを含む。したがって、送信ノードが送信要求信号を受信ノードに送信した後、受信ノードが、送信許可信号の送信パワーおよび／または信号フォーマットを決定し、当該送信パワーおよび／または信号フォーマットに基づいて、当該送信許可信号を送信ノードに送信する。
2021518067.tif 000002
【特許請求の範囲】
【請求項１】
信号伝送方法であって、
受信ノードが、送信ノードによって送信された送信要求信号を受信することと、
前記受信ノードが、送信許可信号の送信パワーおよび／または信号フォーマットを決定することと、
前記受信ノードが、前記送信パワーおよび／または信号フォーマットに従って、前記送信許可信号を前記送信ノードに送信することとを含む、前記信号伝送方法。
【請求項２】
前記送信要求信号は少なくとも、前記受信ノードとのデータ伝送の実行を要求するために使用され、前記送信許可信号は少なくとも、前記送信ノードと前記受信ノードとのデータ伝送の実行を許可することを指示するために使用される、
請求項１に記載の信号伝送方法。
【請求項３】
前記受信ノードが、送信許可信号の送信パワーを決定することは、
前記受信ノードが、キャリアセンスを実行することと、
センシングしたチャンネルパワーが第１閾値より小さい場合、前記受信ノードが、前記送信許可信号の送信パワーが第１送信パワーであると決定することと、
センシングしたチャンネルパワーが第２閾値より大きい場合、前記受信ノードが、前記送信許可信号の送信パワーが第２送信パワーであると決定することであって、前記第２送信パワーは、前記第１送信パワーより小さいこととを含む、
請求項１または２に記載の信号伝送方法。
【請求項４】
前記受信ノードが、送信許可信号の信号フォーマットを決定することは、
前記送信許可信号の送信パワーが第１送信パワーである場合、前記受信ノードが、前記送信許可信号の信号フォーマットが第１信号フォーマットであると決定することと、
前記送信許可信号の送信パワーが第２送信パワーである場合、前記受信ノードが、前記送信許可信号の信号フォーマットが第２信号フォーマットであると決定することであって、前記第２信号フォーマットが占める時間領域の長さは、前記第１信号フォーマットが占める時間領域の長さより大きいこととを含む、
請求項３に記載の信号伝送方法。
【請求項５】
前記第２信号フォーマットは、前記第１信号フォーマットが時間領域でＮ回繰り返した後に形成した信号フォーマットであり、Ｎは１より大きい正整数である、
請求項４に記載の信号伝送方法。
【請求項６】
前記送信許可信号の送信時間と、前記送信要求信号の送信時間との間には時間間隔Ｔ１がある、
請求項１ないし５のいずれか一項に記載の信号伝送方法。
【請求項７】
信号伝送方法であって、
送信ノードが、送信要求信号を受信ノードに送信することと、
前記送信ノードが、少なくとも２つのチャネルフォーマットに従って、前記受信ノードによって送信された送信許可信号を検出することとを含む、前記信号伝送方法。
【請求項８】
前記送信要求信号は少なくとも、前記受信ノードとのデータ伝送の実行を要求するために使用され、前記送信許可信号は少なくとも、前記送信ノードと前記受信ノードとのデータ伝送の実行を許可することを指示するために使用される、
請求項７に記載の信号伝送方法。
【請求項９】
前記少なくとも２つのチャネルフォーマットは、第１チャネルフォーマットおよび第２チャネルフォーマットを含み、前記第２信号フォーマットが占める時間領域の長さは、前記第１信号フォーマットが占める時間領域の長さより大きく、
前記受信ノードが第１送信パワーを使用して前記送信許可信号を送信する場合、前記送信許可信号の信号フォーマットは、前記第１チャネルフォーマットであり、前記受信ノードが第２送信パワーを使用して前記送信許可信号を送信する場合、前記送信許可信号の信号フォーマットは、前記第２チャネルフォーマットであり、前記第２送信パワーは、前記第１送信パワーより小さい、
請求項７または８に記載の信号伝送方法。
【請求項１０】
前記第２信号フォーマットは、前記第１信号フォーマットが時間領域でＮ回繰り返した後に形成した信号フォーマットであり、Ｎは１より大きい正整数である、
請求項９に記載の信号伝送方法。
【請求項１１】
前記送信許可信号の送信時間と、前記送信要求信号の送信時間との間には時間間隔Ｔ１がある、
請求項７ないし１０のいずれか一項に記載の信号伝送方法。
【請求項１２】
受信ノード機器であって、
送信ノード機器によって送信された送信要求信号を受信するように構成される送受信ユニットと、
送信許可信号の送信パワーおよび／または信号フォーマットを決定するように構成される決定ユニットとを備え、
前記送受信ユニットは、さらに、前記決定ユニットによって決定された前記送信パワーおよび／または信号フォーマットに従って、前記送信許可信号を前記送信ノード機器に送信するように構成される、前記受信ノード機器。
【請求項１３】
前記送信要求信号は少なくとも、前記受信ノード機器とのデータ伝送の実行を要求するために使用され、前記送信許可信号は少なくとも、前記送信ノード機器と前記受信ノード機器とのデータ伝送の実行を許可することを指示するために使用される、
請求項１２に記載の受信ノード機器。
【請求項１４】
前記送受信ユニットは、さらに、キャリアセンスを実行するようにさらに構成され、
前記決定ユニットは、具体的に、
センシングしたチャンネルパワーが第１閾値より小さい場合、前記送信許可信号の送信パワーが第１送信パワーであると決定し、
センシングしたチャンネルパワーが第２閾値より大きい場合、前記送信許可信号の送信パワーが第２送信パワーであると決定するように構成され、前記第２送信パワーは、前記第１送信パワーより小さい、
請求項１２または１３に記載の受信ノード機器。
【請求項１５】
前記決定ユニットは、さらに、
前記送信許可信号の送信パワーが第１送信パワーである場合、前記送信許可信号の信号フォーマットが第１信号フォーマットであると決定し、
前記送信許可信号の送信パワーが第２送信パワーである場合、前記送信許可信号の信号フォーマットが第２信号フォーマットであると決定するように構成され、前記第２信号フォーマットが占める時間領域の長さが前記第１信号フォーマットが占める時間領域の長さより大きい、
請求項１４に記載の受信ノード機器。
【請求項１６】
前記第２信号フォーマットは、前記第１信号フォーマットが時間領域でＮ回繰り返した後に形成した信号フォーマットであり、Ｎは１より大きい正整数である、
請求項１５に記載の受信ノード機器。
【請求項１７】
前記送信許可信号の送信時間と、前記送信要求信号の送信時間との間には時間間隔Ｔ１がある、
請求項１２ないし１６のいずれか一項に記載の受信ノード機器。
【請求項１８】
送信ノード機器であって、
送信要求信号を受信ノード機器に送信するように構成される送受信ユニットとを備え、
前記送受信ユニットは、さらに、少なくとも２つのチャネルフォーマットに従って、前記受信ノード機器によって送信された送信許可信号を検出するように構成される、前記送信ノード機器。
【請求項１９】
前記送信要求信号は少なくとも、前記受信ノード機器とのデータ伝送の実行を要求するために使用され、前記送信許可信号は少なくとも、前記送信ノード機器と前記受信ノード機器とのデータ伝送の実行を許可することを指示するために使用される、
請求項１８に記載の送信ノード機器。
【請求項２０】
前記少なくとも２つのチャネルフォーマットは、第１チャネルフォーマットおよび第２チャネルフォーマットを含み、前記第２信号フォーマットが占める時間領域の長さは、前記第１信号フォーマットが占める時間領域の長さより大きく、
前記受信ノード機器が第１送信パワーを使用して前記送信許可信号を送信する場合、前記送信許可信号の信号フォーマットは、前記第１チャネルフォーマットであり、前記受信ノード機器が第２送信パワーを使用して前記送信許可信号を送信する場合、前記送信許可信号の信号フォーマットは、前記第２チャネルフォーマットであり、前記第２送信パワーは、前記第１送信パワーより小さい、
請求項１８または１９に記載の送信ノード機器。
【請求項２１】
前記第２信号フォーマットは、前記第１信号フォーマットが時間領域でＮ回繰り返した後に形成した信号フォーマットであり、Ｎは１より大きい正整数である、
請求項２０に記載の送信ノード機器。
【請求項２２】
前記送信許可信号の送信時間と、前記送信要求信号の送信時間との間には時間間隔Ｔ１がある、
請求項１８ないし２１のいずれか一項に記載の送信ノード機器。
【発明の詳細な説明】
【技術分野】
【０００１】
本願実施例は通信分野に関し、より具体的に、信号伝送方法および機器に関する。
【背景技術】
【０００２】
５Ｇシステムは、無認可周波数帯域におけるデータ伝送をサポートする。送信ノードは、受信ノードとの通信を要求するために、送信要求信号を受信ノードに送信できる。受信ノードは、送信ノードが受信ノードとデータを伝送できることを指示するために、信号を送信ノードに返信する。送信ノードは、受信ノードから返信された信号を受信したときにのみ、受信ノードとデータを送信できる。干渉信号が周囲にある場合、送信ノードは、受信ノードから返信された信号を受信できない可能性があるため、後続のデータ伝送に影響を与える。したがって、無認可周波数帯域における送信ノードと受信ノード間の信号伝送性能をどのように向上させるかが、解決すべきの課題である。
【発明の概要】
【発明が解決しようとする課題】
【０００３】
本願実施例は、無認可周波数帯域における送信ノードと受信ノード間の信号伝送性能を改善することができる信号伝送方法および機器を提供する。
【課題を解決するための手段】
【０００４】
第１態様によれば、信号伝送方法を提供し、前記信号伝送方法は、受信ノードが、送信ノードによって送信された送信要求信号を受信することと、前記受信ノードが、送信許可信号の送信パワーおよび／または信号フォーマットを決定することと、前記受信ノードが、前記送信パワーおよび／または信号フォーマットに従って、前記送信許可信号を前記送信ノードに送信することとを含む。
【０００５】
したがって、送信ノードが送信要求信号を受信ノードに送信した後、受信ノードが、送信許可信号の送信パワーおよび／または信号フォーマットを決定し、当該送信パワーおよび／または信号フォーマットに基づいて、当該送信許可信号を送信ノードに送信し、送信ノードが、当該信号フォーマットに基づいて、当該送信許可信号を検出することにより、送信ノードと受信ノード間の信号伝送性能を改善する。
【０００６】
一可能な実施形態において、前記送信要求信号は少なくとも、前記受信ノードとのデータ伝送の実行を要求するために使用され、前記送信許可信号は少なくとも、前記送信ノードと前記受信ノードとのデータ伝送の実行を許可することを指示するために使用される。
【０００７】
一可能な実施形態において、前記受信ノードが、送信許可信号の送信パワーを決定することは、前記受信ノードが、キャリアセンスを実行することと、センシングしたチャンネルパワーが第１閾値より小さい場合、前記受信ノードが、前記送信許可信号の送信パワーが第１送信パワーであると決定することと、センシングしたチャンネルパワーが第２閾値より大きい場合、前記受信ノードが、前記送信許可信号の送信パワーが第２送信パワーであると決定することであって、前記第２送信パワーは、前記第１送信パワーより小さいこととを含む。
【０００８】
一可能な実施形態において、前記受信ノードが、送信許可信号の信号フォーマットを決定することは、前記送信許可信号の送信パワーが第１送信パワーである場合、前記受信ノードが、前記送信許可信号の信号フォーマットが第１信号フォーマットであると決定することと、前記送信許可信号の送信パワーが第２送信パワーである場合、前記受信ノードが、前記送信許可信号の信号フォーマットが第２信号フォーマットであると決定することであって、前記第２信号フォーマットが占める時間領域の長さは、前記第１信号フォーマットが占める時間領域の長さより大きいこととを含む。
【０００９】
一可能な実施形態において、前記第２信号フォーマットは、前記第１信号フォーマットが時間領域でＮ回繰り返した後に形成した信号フォーマットである。
【００１０】
一可能な実施形態において、前記送信許可信号の送信時間と、前記送信要求信号の送信時間との間には時間間隔Ｔ１がある。
【００１１】
第２態様によれば、信号伝送方法を提供し、前記信号伝送方法は、送信ノードが、送信要求信号を受信ノードに送信することと、前記送信ノードが、少なくとも２つのチャネルフォーマットに従って、前記受信ノードによって送信された送信許可信号を検出することとを含む。
【００１２】
したがって、送信ノードが送信要求信号を受信ノードに送信した後、受信ノードが、送信許可信号の送信パワーおよび／または信号フォーマットを決定し、当該送信パワーおよび／または信号フォーマットに基づいて、当該送信許可信号を送信ノードに送信し、送信ノードが、当該信号フォーマットに基づいて、当該送信許可信号を検出することにより、送信ノードと受信ノード間の信号伝送性能を改善する。
【００１３】
一可能な実施形態において、前記送信要求信号は少なくとも、前記受信ノードとのデータ伝送の実行を要求するために使用され、前記送信許可信号は少なくとも、前記送信ノードと前記受信ノードとのデータ伝送の実行を許可することを指示するために使用される。
【００１４】
一可能な実施形態において、前記少なくとも２つのチャネルフォーマットは、第１チャネルフォーマットおよび第２チャネルフォーマットを含み、前記第２信号フォーマットが占める時間領域の長さは、前記第１信号フォーマットが占める時間領域の長さより大きく、前記受信ノードが第１送信パワーを使用して前記送信許可信号を送信する場合、前記送信許可信号の信号フォーマットは、前記第１チャネルフォーマットであり、前記受信ノードが第２送信パワーを使用して前記送信許可信号を送信する場合、前記送信許可信号の信号フォーマットは、前記第２チャネルフォーマットであり、前記第２送信パワーは、前記第１送信パワーより小さい。
【００１５】
一可能な実施形態において、前記第２信号フォーマットは、前記第１信号フォーマットが時間領域でＮ回繰り返した後に形成したチャネルフォーマットである。
【００１６】
一可能な実施形態において、前記送信許可信号の送信時間と、前記送信要求信号の送信時間との間には時間間隔Ｔ１がある。
【００１７】
第３態様によれば、受信ノード機器を提供し、当該受信ノード機器は、上述の第１態様または第１態様の任意の選択可能な実現形態における受信ノードの操作を実行できる。具体的に、当該受信ノード機器は、第１態様または第１態様の任意の可能な実現形態における受信ノードの操作を実行するように構成されたモジュールユニットを含み得る。
【００１８】
第４態様によれば、送信ノード機器を提供し、当該送信ノード機器は、上述の第２態様または第２態様の任意の選択可能な実現形態における送信ノードの操作を実行できる。具体的に、当該送信ノード機器は、第２態様または第２態様の任意の可能な実現形態における受信ノードの操作を実行するように構成されたモジュールユニットを含み得る。
【００１９】
第５態様によれば、受信ノード機器を提供し、当該受信ノード機器は、プロセッサと、トランシーバと、メモリとを備える。ここで、当該プロセッサ、トランシーバよびびメモリの間は、内部接続パスを介してお互いに通信する。当該メモリは、命令を記憶するように構成され、当該プロセッサは、当該メモリに記憶された命令を実行するように構成される。当該メモリに記憶された命令が当該プロセッサによって実行される場合、当該実行により、当該受信ノード機器が第１態様または第１態様の任意の可能な実現形態における方法を実行し、または当該実行により、当該受信ノード機器が第３態様で提供される受信ノード機器を実現する。
【００２０】
第６態様によれば、送信ノード機器を提供し、当該送信ノード機器は、プロセッサと、トランシーバと、メモリとを備える。ここで、当該プロセッサ、トランシーバよびびメモリの間は、内部接続パスを介してお互いに通信する。当該メモリは、命令を記憶するように構成され、当該プロセッサは、当該メモリに記憶された命令を実行するように構成される。当該メモリに記憶された命令が当該プロセッサによって実行される場合、当該実行により、当該送信ノード機器が第２態様または第２態様の任意の可能な実現形態における方法を実行し、または当該実行により、当該送信ノード機器が第４態様で提供される送信ノード機器を実現する。
【００２１】
第７態様によれば、システムチップを提供し、当該システムチップは、入力インタフェースと、出力インタフェースと、プロセッサと、メモリとを備え、当該プロセッサは、当該メモリに記憶された命令を実行するように構成され、当該命令が実行されるとき、当該プロセッサは、前述の第１態様または第１態様の任意の可能な実現形態における方法を実現できる。
【００２２】
第８態様によれば、システムチップを提供し、当該システムチップは、入力インタフェースと、出力インタフェースと、プロセッサと、メモリとを備え、当該プロセッサは、当該メモリに記憶された命令を実行するように構成され、当該命令が実行されるとき、当該プロセッサは、前述の第２態様または第２態様の任意の可能な実現形態における方法を実現できる。
【００２３】
第９態様によれば、命令を含むコンピュータプログラム製品を提供し、前記コンピュータプログラム製品がコンピュータで実行される場合、当該コンピュータが、上述の第１態様第１態様の任意の可能な実現形態における方法を実行するようにする。
【００２４】
第１０態様によれば、命令を含むコンピュータプログラム製品を提供し、前記コンピュータプログラム製品がコンピュータで実行される場合、当該コンピュータが、上述の第２態様第２態様の任意の可能な実現形態における方法を実行するようにする。
【図面の簡単な説明】
【００２５】
【図１】本願実施例に適用される無線通信システムの概略図である。
【図２】本願実施例に係る信号伝送方法のフローチャートである。
【図３】本願実施例に係る送信許可信号のチャネルフォーマットの例示的なブロック図である。
【図４】本願実施例に係る送信許可信号のチャネルフォーマットの例示的なブロック図である。
【図５】本願実施例に係る受信ノード機器の例示的なブロック図である。
【図６】本願実施例に係る送信ノード機器の例示的なブロック図である。
【図７】本願実施例に係る通信機器の例示的な構造図である。
【図８】本願実施例に係るシステムチップの例示的な構造図である。
【発明を実施するための形態】
【００２６】
本願実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域コード分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＴＭＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは未来の５Ｇシステムなど、様々な通信システムに適用することができる。
【００２７】
図１は、本願実施例に適用される無線通信システム１００を示す。前記無線通信システム１００は、ネットワーク機器１１０を含み得る。ネットワーク機器１１０は、端末機器と通信する機器であってもよい。ネットワーク機器１１０は、特定の地理的エリアに通信カバレッジを提供することができ、前記カバレッジエリア内に位置する端末機器（例えばＵＥなど）と通信することができる。代替的に、前記ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）無線コントローラであり得、または、前記ネットワーク機器は、リレーステーション、アクセスポイント、車載機器、ウェアラブル機器、５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００２８】
前記無線通信システム１００は、ネットワーク機器１１０のカバレッジエリア内に位置する、少なくとも１つの端末機器１２１および端末機器１２２などの端末機器をさらに含む。端末機器１２１および端末機器１２２は、モバイルまたは固定であってもよい。代替的に、端末機器１２１および端末機器１２２は、アクセス端末、ユーザー機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび未来の５Ｇネットワークの端末機器または将来進化するＰＬＭＮの端末機器などであり得る。代替的に、端末装置１２１と端末装置１２２との間で、装置対装置（Ｄ２Ｄ：Ｄｅｖｉｃｅ  ｔｏ  Ｄｅｖｉｃｅ）通信を実行することもできる。
【００２９】
図１は、１つのネットワーク機器および２つの端末機器を例示的に示し、代替的に、前記無線通信システム１００は、複数のネットワーク機器を含むことができ、各ネットワーク機器のカバレッジ内には、他の数の端末機器を含むことができるが、本願実施例はこれに限定されない。
【００３０】
代替的に、前記無線通信システム１００は、ネットワークコントローラ、モバイル管理エンティティなどの他のネットワークエンティティをさらに含むことができるが、本出願の実施例はこれに限定されない。
【００３１】
５Ｇシステムでは、データ伝送に使用される周波数帯域がＬＴＥで使用される周波数帯域よりも高いため、無線信号伝送のパス損失が大きくなり、無線信号のカバレッジが小さくなる。このため、５Ｇシステムでは、無線信号のゲインを増加するためのビーム成形（ｂｅａｍｆｏｒｍｉｎｇ）技術が提案され、これにより、パス損失を補う。具体的には、基地局が信号を端末機器に送信するために使用するビームは、指向性を有し、異なるビームは、実際には異なる放射方向に対応し、各狭いビームは、セルの領域の一部のみをカバでき、セルのすべての領域をカバすることはできない。図１に示されるように、図１は、即ち、ビームＢ１、ビームＢ２、ビームＢ３およびビームＢ４の異なる方向の４つのビームを示し、基地局は、４つの異なる方向のビームを介して端末機器に信号を送信できる。ビームＢ１およびビームＢ２については、端末機器１２１のみをカバでき、端末機器１２２をカバできず、ビームＢ３およびビームＢ４は、端末機器１２２のみをカバーでき、端末機器１２１をカバできない。基地局は、ビームＢ１およびビームＢ２を介して端末機器１２１に信号を送信し、ビームＢ３およびビームＢ４を介して端末機器１２２に信号を送信することができる。
【００３２】
以下では、本願実施例に係る無認可周波数帯域（ｕｎｌｉｃｅｎｓｅｄ  ｆｒｅｑｕｅｎｃｙ  ｂａｎｄｓ）でのリッスンビフォアトーク（ＬＢＴ：Ｌｉｓｔｅｎ  Ｂｅｆｏｒｅ  Ｔａｌｋ）メカニズム、および無認可周波数帯域で動作するＷｉ−Ｆｉ（登録商標）（Ｗｉｒｅｌｅｓｓ  Ｆｉｄｅｌｉｔｙ）システムにおける送信要求（ＲＴＳ：Ｒｅｑｕｅｓｔ−Ｔｏ−Ｓｅｎｄ）／送信可（ＣＴＳ：Ｃｌｅａｒ−Ｔｏ−Ｓｅｎｄ）メカニズムに対して簡単に説明する。
【００３３】
５Ｇシステムは、無認可周波数帯域におけるデータ伝送をサポートする。無認可周波数帯域を使用してデータ伝送を実行することは、リッスンビフォアトーク（ＬＢＴ：Ｌｉｓｔｅｎ  Ｂｅｆｏｒｅ  Ｔａｌｋ）メカニズムに基づいている。つまり、送信ノードは、データを送信する前に、チャネルがアイドル状態であるかどうかをセンシングする必要があり、チャネルがアイドル状態であると判断した場合にのみ、データを送信できる。
【００３４】
さらに、無認可周波数帯域で動作するＷｉ−Ｆｉ（登録商標）（Ｗｉｒｅｌｅｓｓ  Ｆｉｄｅｌｉｔｙ）システムでは、非表示ノードの問題を解決するために、送信要求（ＲＴＳ：Ｒｅｑｕｅｓｔ−Ｔｏ−Ｓｅｎｄ）／送信可（ＣＴＳ：Ｃｌｅａｒ−Ｔｏ−Ｓｅｎｄ）メカニズムが提案されている。非表示端末（Ｈｉｄｄｅｎ  Ｓｔａｔｉｏｎｓ）とは、基地局Ａが基地局Ｂに信号を送信し、基地局Ｃが基地局Ａを検出しなかった場合、基地局Ｃも基地局Ｂに信号を送信できるため、基地局Ａと基地局Ｃは同時に基地局Ｂに信号を送信することにより、信号の衝突を引き起こし、最終的に、基に送信された信号がすべて失われる可能性がある。この時、ＲＴＳ／ＣＴＳメカニズムを介してこの問題を解決することができる。ＲＴＳ／ＣＴＳを使用する場合、同時に伝送できるバイト数の上限を設定し、伝送するデータがこの上限を超えると、ＲＴＳ／ＣＴＳハンドシェイクプロトコルを開始する。まず、基地局Ａは、ＲＴＳ信号を基地局Ｂに送信することで、基地局Ａが基地局Ｂへのいくつかのデータの送信を希望していることを示す。基地局Ｂは、ＲＴＳ信号を受信した後に、基地局Ａからのデータ送信に準備できたこと示すためにＣＴＳ信号を送信し、基地局Ｂへのデータ送信を希望する他の基地局は、基地局Ｂへのデータ送信を一時停止する。このように、両方がＲＴＳ／ＣＴＳ信号を正常に交換した（即ち、ハンドシェイクが完了した）後で、実際のデータ転送を開始することにより、互いに不可視の複数の送信ノードが同じ受信ノードに同時に信号を送信する場合、受信ノードからのＣＴＳ信号を受信したノードのみが、実際にデータを受信ノードに伝送できるため、衝突を回避できる。
【００３５】
送信ノードは、受信ノードから返信されたＣＴＳ信号を受信したときにのみ、受信ノードとデータを伝送できる。干渉信号が周囲にある場合、送信ノードは、受信ノードから返信された信号を受信できない可能性があるため、後続のデータ伝送に影響を与える。したがって、無認可周波数帯域における送信ノードと受信ノード間の信号伝送性能をどのように向上させるかが、解決すべき喫緊の課題である。
【００３６】
本願実施例において、送信ノードが送信要求信号を受信ノードに送信した後、受信ノードが、送信許可信号の送信パワーおよび／または信号フォーマットを決定し、当該送信パワーおよび／または信号フォーマットに基づいて、当該送信許可信号を送信ノードに送信し、送信ノードが、当該信号フォーマットに基づいて、当該送信許可信号を検出することにより、送信ノードと受信ノード間の信号伝送性能を改善する。
【００３７】
本願実施例において、信号を受信するために使用されるビームは、信号を受信するために使用される空間ドメイン受信フィルタ（Ｓｐａｔｉａｌ  ｄｏｍａｉｎ  ｒｅｃｅｐｔｉｏｎ  ｆｉｌｔｅｒ）として理解でき、信号を送信するために使用されるビームは、信号を送信するために使用される空間ドメイン伝送フィルタ（Ｓｐａｔｉａｌ  ｄｏｍａｉｎ  ｔｒａｎｓｍｉｓｓｉｏｎ  ｆｉｌｔｅｒ）として理解できることを理解されたい。同じ空間ドメイン送信フィルタを使用して送信された２つの信号の場合、これらの２つの信号は、空間受信パラメータに関してクアジコロケイティッド（ＱＣＬ：Ｑｕａｓｉ−Ｃｏ−Ｌｏｃａｔｅｄ）であると言える。
【００３８】
図２は、本願実施例に係る信号伝送方法のフローチャートである。図２に示す送信ノードおよび受信ノードは、例えば、図１に示すネットワーク装置１１０、端末機器１２１または端末機器１２２であってもよい。図２に示す方法２００は、例えば、無認可周波数帯域に適用することができる。図２に示されるように、当該信号伝送方法は、以下の内容の一部またはすべてを含み得る。
【００３９】
ステップ２１０において、送信ノードが、送信要求信号を受信ノードに送信する。
【００４０】
ステップ２２０において、受信ノードが、送信ノードによって送信された送信要求信号を受信する。
【００４１】
ステップ２３０において、当該受信ノードが、送信許可信号の送信パワーおよび／または信号フォーマットを決定する。
【００４２】
代替的に、当該送信要求信号は少なくとも、当該受信ノードとのチャネル伝送の実行を要求するために使用される。例えば、受信ノードのアドレス、データフレームの時間、ＡＣＫの送信時間などを含む。当該送信要求信号はまた、他の情報を搬送すること、または他の機能を有することができ、ここではこれに対して限定しない。
【００４３】
代替的に、当該送信許可信号は少なくとも、当該送信ノードと当該受信ノードとのデータ伝送の実行を許可することを指示するために使用され、または、他のノードと当該受信ノードとのデータ伝送の実行を禁止することを指示するために使用される。当該送信許可信号はまた、他の情報を搬送すること、または、他の機能を有することができ、ここではこれに対して限定しない。
【００４４】
特に、ＷＩＦＩシステムでは、当該送信要求信号はＲＴＳ信号であり、当該送信許可信号はＣＴＳ信号である。
【００４５】
ステップ２４０において、当該受信ノードが、当該送信パワーおよび／または信号フォーマットに従って、当該送信許可信号を当該送信ノードに送信する。
【００４６】
代替的に、当該受信ノードが、送信許可信号の送信パワーを決定することは、当該受信ノードが、キャリアセンス（またはビームセンス、チャネルセンス、センシングなど）を実行することと、センシングしたチャンネルパワーが第１閾値より小さい場合、当該受信ノードが、当該送信許可信号の送信パワーが第１送信パワーであると決定することと、センシングしたチャンネルパワーが第２閾値より大きい場合、当該受信ノードが、当該送信許可信号の送信パワーが第２送信パワーであると決定することであって、当該第２送信パワーは、当該第１送信パワーより小さいこととを含む。
【００４７】
ここで、第２閾値が第１閾値より大きいか、または第２閾値が第１閾値より小さい。
【００４８】
無認可周波数帯域では、当該受信ノードは、キャリアセンス（例えば、１つまたはいくつかのビームに対する指向性センシングなど）を実行し、センシングの結果に基づいて、送信許可信号の送信パワーを設定することができる。例えば、隣接する他のノードの信号送信パワーが比較的大きいとセンシングした場合、当該受信ノードは、比較的小さな送信パワーを設定して当該送信許可信号を送信することができ、これにより、他のノードによって伝送されているでデータへの影響を防ぐ。隣接する他のノードの信号送信パワーが比較的小さいとセンシングした場合、当該受信ノードが、他のノードから遠く離れているか、他のノードによって伝送されているデータがない可能性があり、当該受信ノードは、比較的大きな送信パワーを設定して当該送信許可信号を送信することができ、これにより、当該送信許可信号の伝送性能を確保する。
【００４９】
代替的に、当該受信ノードが、送信許可信号の信号フォーマットを決定することは、当該送信許可信号の送信パワーが第１送信パワーである場合、当該受信ノードが、当該送信許可信号の信号フォーマットが第１信号フォーマットであると決定することと、当該送信許可信号の送信パワーが第２送信パワーである場合、当該受信ノードが、当該送信許可信号の信号フォーマットが第２信号フォーマットであると決定することであって、当該第２信号フォーマットが占める時間領域の長さは、当該第１信号フォーマットが占める時間領域の長さより大きいこととを含む。
【００５０】
つまり、当該受信ノードが、比較的大きな送信パワーで当該送信許可信号を送信できる場合、当該受信ノードは、期間が比較的短い信号フォーマットを使用して当該送信許可信号を送信できる。逆に、受信ノードが、比較的小さな送信パワーで当該送信許可信号を送信を送信する必要がある場合、当該受信ノードは、期間が比較的長い信号フォーマットを使用して当該送信許可信号を送信できる。
【００５１】
もちろん、送信許可信号を伝送するために使用される信号フォーマットは、少なくとも２つのタイプを有することができ、受信ノードは、キャリアセンスの結果に従って、送信許可信号の送信パワーを設定し、適切な信号フォーマットを選択することができる。例えば、少なくとも２つのパワーー範囲を予め設定でき、各パワーー範囲が１つの信号フォーマットに対応し、受信ノードによって設定された送信パワーがいずれかのパワーー範囲ある場合、当該パワーー範囲に対応する信号フォーマットを使用して伝送を実行することができる。
【００５２】
図３に示されるように、当該送信要求信号がＲＴＳ信号であり、当該送信許可信号がＣＴＳ信号であると仮定すると、送信ノードが第１送信パワーでＣＴＳ信号を送信する場合、当該ＣＴＳ送信に使用される信号フォーマットは第１信号フォーマットである。送信ノードが第２送信パワーでＣＴＳ信号を送信する場合、当該ＣＴＳ送信に使用される信号フォーマットは第２信号フォーマットである。第１送信パワーは、第２送信パワーより大きく、第２信号フォーマットが占める時間領域の長さは、第１信号フォーマットが占める時間領域の長さより大きい。
【００５３】
代替的に、当該第２信号フォーマットは、当該第１信号フォーマットが時間領域でＮ回繰り返した後に形成した信号フォーマットであってもよい。例えば、図４に示す第２信号フォーマットの場合、Ｎ＝２と仮定し、ここで、Ｔ１は、送信許可信号の送信時間と当該送信要求信号の送信時間の間の時間間隔であり、Ｔ２は第１チャネルフォーマットの時間領域の長さである。
【００５４】
ステップ２５０において、当該送信ノードが、少なくとも２つのチャネルフォーマットに従って、当該受信ノードによって送信された送信許可信号を検出する。
【００５５】
送信ノードが、受信ノードの追加のチャネル占有状況および干渉状況を認識していないため、受信ノードがＣＴＳ信号を送信するために使用する信号フォーマットを認識することもできず、これにより、当該送信ノードは、可能なすべてのチャネルフォーマットに基づいて、当該送信許可信号に対してブラインド検出を実行する必要がある。
【００５６】
代替的に、当該少なくとも２つのチャネルフォーマットは、第１チャネルフォーマットをよび第２チャネルフォーマットを含み、当該第２チャネルフォーマットが占める時間領域の長さは、当該第１チャネルフォーマットが占める時間領域の長さより大きい。
【００５７】
当該受信ノードが第１送信パワーを使用して当該送信許可信号を送信する場合、当該送信許可信号の信号フォーマットは、当該第１チャネルフォーマットであり、当該受信ノードが第２送信パワーを使用して当該送信許可信号を送信する場合、当該送信許可信号の信号フォーマットは、当該第２チャネルフォーマットであり、当該第２送信パワーは、当該第１送信パワーより小さい。
【００５８】
代替的に、図３に示されるように、当該送信許可信号の送信時間と、当該送信要求信号の送信時間との間には時間間隔Ｔ１がある。
【００５９】
例えば、Ｔ１＝１６ｕｓ、または、Ｔ１＝２５ｕｓ。
【００６０】
本出願の様々な実施例において、前記各プロセスの番号の大きさは実行する前後順番を意味せず、各プロセスの実行順番は、その機能と内部論理によって決定されるべきであり、本出願の実施例の実施プロセスに対してあらゆる制限を構成してはならないことを理解されたい。
【００６１】
以上、本願実施例に係る信号伝送方法について詳細に説明したが、以下、本願実施例に係る装置について、図１ないし図８を参照して説明する。方法の実施例に記載の技術的特徴は、以下の装置の実施例に適用可能である。
【００６２】
図５は、本願実施例に係る受信ノード機器５００の例示的なブロック図である。図５に示されるように、当該受信ノード機器５００は、送受信ユニット５１０と、決定ユニット５２０とを備える。ここで、
送受信ユニット５１０は、送信ノード機器によって送信された送信要求信号を受信するように構成される。
【００６３】
決定ユニット５２０は、送信許可信号の送信パワーおよび／または信号フォーマットを決定するように構成される。
【００６４】
前記送受信ユニット５１０は、さらに、前記決定ユニット５２０によって決定された前記送信パワーおよび／または信号フォーマットに従って、前記送信許可信号を前記送信ノード機器に送信するように構成される。
【００６５】
したがって、送信ノードが送信要求信号を受信ノードに送信した後、受信ノードが、送信許可信号の送信パワーおよび／または信号フォーマットを決定し、当該送信パワーおよび／または信号フォーマットに基づいて、当該送信許可信号を送信ノードに送信し、送信ノードが、当該信号フォーマットに基づいて、当該送信許可信号を検出することにより、送信ノードと受信ノード間の信号伝送性能を改善する。
【００６６】
代替的に、前記送信要求信号は、前記受信ノード機器とのデータ伝送の実行を要求するために使用され、前記送信許可信号は、前記送信ノード機器と前記受信ノード機器とのデータ伝送の実行を許可することを指示するために使用される。
【００６７】
代替的に、前記送受信ユニット５１０は、さらに、キャリアセンスを実行するように構成され、
ここで、前記決定ユニット５２０は、具体的に、センシングしたチャンネルパワーが第１閾値より小さい場合、前記送信許可信号の送信パワーが第１送信パワーであると決定し、センシングしたチャンネルパワーが第２閾値より大きい場合、前記送信許可信号の送信パワーが第２送信パワーであると決定するように構成され、前記第２送信パワーは、前記第１送信パワーより小さい。
【００６８】
代替的に、前記決定ユニット５２０は、さらに、前記送信許可信号の送信パワーが第１送信パワーである場合、前記送信許可信号の信号フォーマットが第１信号フォーマットであると決定し、前記送信許可信号の送信パワーが第２送信パワーである場合、前記送信許可信号の信号フォーマットが第２信号フォーマットであると決定するように構成され、前記第１信号フォーマットが占める時間領域の長さより大きい。
【００６９】
代替的に、前記第２信号フォーマットは、前記第１信号フォーマットが時間領域でＮ回繰り返した後に形成した信号フォーマットである。
【００７０】
代替的に、前記送信許可信号の送信時間と、前記送信要求信号の送信時間との間には時間間隔Ｔ１がある。
【００７１】
当該受信ノード機器５００は、上述した方法２００において受信ノードによって実行される対応する動作を実行でき、簡潔にするために、ここでは再び説明しないことを理解されたい。
【００７２】
図６は、本願実施例に係る送信ノード機器６００の例示的なブロック図である。図６に示されるように、当該送信ノード機器６００は、包括送受信ユニット６１０を備え、前記送受信ユニット６１０は、
送信要求信号を受信ノード機器に送信し、少なくとも２つのチャネルフォーマットに従って前記受信ノード機器によって送信された送信許可信号を検出するように構成される。
【００７３】
したがって、送信ノードが送信要求信号を受信ノードに送信した後、受信ノードが、送信許可信号の送信パワーおよび／または信号フォーマットを決定し、当該送信パワーおよび／または信号フォーマットに基づいて、当該送信許可信号を送信ノードに送信し、送信ノードが、当該信号フォーマットに基づいて、当該送信許可信号を検出することにより、送信ノードと受信ノード間の信号伝送性能を改善する。
【００７４】
代替的に、前記送信要求信号は、前記受信ノード機器とのデータ伝送の実行を要求するために使用され、前記送信許可信号は、前記送信ノード機器と前記受信ノード機器とのデータ伝送の実行を許可することを指示するために使用される。
【００７５】
代替的に、前記少なくとも２つのチャネルフォーマットは、第１チャネルフォーマットおよび第２チャネルフォーマットを含み、前記第２チャネルフォーマットが占める時間領域の長さは、前記第１チャネルフォーマットが占める時間領域の長さより大きく、前記受信ノード機器が第１送信パワーを使用して前記送信許可信号を送信する場合、前記送信許可信号の信号フォーマットは、前記第１チャネルフォーマットであり、前記受信ノード機器が第２送信パワーを使用して前記送信許可信号を送信する場合、前記送信許可信号の信号フォーマットは、前記第２チャネルフォーマットであり、前記第２送信パワーは、前記第１送信パワーより小さい。
【００７６】
代替的に、前記第２チャネルフォーマットは、前記第１チャネルフォーマットが時間領域でＮ回繰り返した後に形成した信号フォーマットである。
【００７７】
代替的に、前記送信許可信号の送信時間と、前記送信要求信号の送信時間との間には時間間隔Ｔ１がある。
【００７８】
当該送信ノード機器６００は、上述した方法２００において送信ノードドによって実行される対応する動作を実行でき、簡潔にするために、ここでは再び説明しないことを理解されたい。
【００７９】
図７は、本願実施例に係る通信機器７００の例示的な構造図である。図７に示されるように、当該通信機器は、プロセッサ７１０と、トランシーバ７２０と、メモリ７３０とを備え、ここで、当該プロセッサ７１０、トランシーバ７２０およびメモリ７３０の間は、内部接続パスを介してお互いに通信する。当該メモリ７３０は、命令を記憶するように構成され、当該プロセッサ７１０は、当該トランシーバ７２０による信号の送受信を制御するために、メモリ７３０に記憶された命令を実行するように構成される。
【００８０】
代替的に、当該プロセッサ７１０は、メモリ７３０に記憶されたプログラムコードを呼び出して、方法２００において送信ノードによって実行される対応する動作を実行でき、簡潔にするために、ここでは再び説明しないことを理解されたい。
【００８１】
代替的に、当該プロセッサ７１０は、メモリ７３０に記憶されたプログラムコードを呼び出して、方法２００において受信ノードによって実行される対応する動作を実行でき、簡潔にするために、ここでは再び説明しないことを理解されたい。
【００８２】
本願実施例におけるプロセッサは、信号の処理能力を備えた集積回路チップであり得ることを理解されたい。実現プロセスにおいて、上記の方法実施例の各ステップは、プロセッサ内のハードウェアの集積論理回路またはソフトウェアの形の命令によって完了することができる。上記のプロセッサは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブルロジックデバイス、ディスクリートゲートまたはトランジスタロジックデバイス、ディスクリートハードウェアコンポーネントなどであってもよい。本願実施例で開示された各方法、ステップおよび論理ブロック図を実現または実行できる。汎用プロセッサはマイクロプロセッサであってもよく、または前記プロセッサは任意の従来のプロセッサなどであってもよい。本出願の実施例と組み合わせて開示される方法のステップは、ハードウェア復号化プロセッサに直接に具現されて実行し、または復号化プロセッサ中のハードウェアおよびソフトウェアモジュールの組み合わせによって実行して完了されてもよい。ソフトウェアモジュールは、ランダムメモリ、フラッシュメモリ、読み取り専用メモリ、プログラム可能な読み取り専用メモリまたは電気的に消去可能なプログラマブルメモリ、レジスタ等の当技術分野の熟知する記憶媒体に配置されてもよい。前記記憶媒体はメモリ内に配置され、プロセッサはメモリ内の情報を読み取り、そのハードウェアと組み合わせて前記方法のステップを完了する。
【００８３】
本願実施例におけるメモリは、揮発性メモリまたは不揮発性メモリであってもよく、または揮発性と不揮発性メモリの両方を含んでもよいことが理解できるだろう。ここで、不揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ＲＯＭ）、消去可能なプログラム可能な読み取り専用メモリ（ＥＰＲＯＭ：ｅｒａｓａｂｌｅ  ＰＲＯＭ）、電気的に消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。前記メモリは、例示的であるが制限的ではない説明を通じて、例えば、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）等、多くの形のＲＡＭが利用可能である。本出願で説明されるシステムおよび方法のメモリは、これらおよび任意の他の適切なタイプのメモリを含むが、これに限定されないことを意図することに留意されたい。
【００８４】
図８は、本願実施例に係るシステムチップの一例示的な構造図である。図８のシステムチップ８００は、入力インタフェース８０１と、出力インタフェース８０２と、少なくとも１つのプロセッサ８０３と、メモリ８０４とを備え、前記入力インタフェース８０１、出力インタフェース８０２、前記プロセッサ８０３およびメモリ８０４の間は、内部接続パスを介してお互いに通信する。前記プロセッサ８０３は、前記メモリ８０４内のコードを実行するように構成される。
【００８５】
代替的に、前記コード実行されるとき、前記プロセッサ８０３は、方法２００において送信ノードによって実行される対応する動作を実現でき、簡潔にするために、ここでは再び説明しない。
【００８６】
代替的に、前記コード実行されるとき、前記プロセッサ８０３は、方法２００において受信ノードによって実行される対応する動作を実現でき、簡潔にするために、ここでは再び説明しない。
【００８７】
本願実施例において、「Ａに相応（対応）するＢ」とは、ＢがＡに関連付けられており、Ａに従ってＢを決定できることを示すことを理解されたい。しかしながら、Ａに従ってＢを決定することは、Ａのみに従ってＢを決定することを意味せず、Ａおよび／または他の情報に従ってＢを決定することもできることを理解されたい。
【００８８】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることが理解できるだろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の範囲を超えると見なされるべきではない。
【００８９】
説明の便宜および簡潔のために、上記に説明されたシステム、装置およびユニットの具体的な作業プロセスは、前述の方法実施例中の対応するプロセスを参照することができ、ここでは繰り返さないことを当業者は明確に理解することができる。
【００９０】
本出願で提供されるいくつかの実施例では、開示されたシステム、装置および方法は、他の方法で実現されることができることを理解されたい。例えば、上記で説明された装置実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、いくつかのインターフェース、装置またはユニットを介した間接結合または通信接続であり得、電気的、機械的または他の形態であり得る。
【００９１】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部または全部ユニットを選択して本実施例の技術案の目的を実現することができる。
【００９２】
なお、本出願の各実施例における各機能ユニットは１つの処理ユニットに統合されてもよく、または各ユニットが物理的に別々に存在してもよく、２つまたは２つ以上のユニットを１つのユニットに統合してもよい。
【００９３】
前記機能がソフトウェア機能ユニットの形で実現され、独立した製品として販売または使用される場合、コンピュータ読み取り可能な記憶媒体に記憶することができる。このような理解に基づいて、本出願の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【００９４】
上記の内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2021518067.tif 000003
【図２】
2021518067.tif 000004
【図３】
2021518067.tif 000005
【図４】
2021518067.tif 000006
【図５】
2021518067.tif 000007
【図６】
2021518067.tif 000008
【図７】
2021518067.tif 000009
【図８】
2021518067.tif 000010
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
信号伝送方法であって、
受信ノードが、送信ノードによって送信された送信要求信号を受信することと、
前記受信ノードが、送信許可信号の送信パワーおよび／または信号フォーマットを決定することと、
前記受信ノードが、前記送信パワーおよび／または信号フォーマットに従って、前記送信許可信号を前記送信ノードに送信することとを含む、前記信号伝送方法。
【請求項２】
前記送信要求信号は少なくとも、前記受信ノードとのデータ伝送の実行を要求するために使用され、前記送信許可信号は少なくとも、前記送信ノードと前記受信ノードとのデータ伝送の実行を許可することを指示するために使用される、
請求項１に記載の信号伝送方法。
【請求項３】
前記受信ノードが、送信許可信号の送信パワーを決定することは、
前記受信ノードが、キャリアセンスを実行することと、
センシングしたチャンネルパワーが第１閾値より小さい場合、前記受信ノードが、前記送信許可信号の送信パワーが第１送信パワーであると決定することと、
センシングしたチャンネルパワーが第２閾値より大きい場合、前記受信ノードが、前記送信許可信号の送信パワーが第２送信パワーであると決定することであって、前記第２送信パワーは、前記第１送信パワーより小さいこととを含む、
請求項１または２に記載の信号伝送方法。
【請求項４】
前記受信ノードが、送信許可信号の信号フォーマットを決定することは、
前記送信許可信号の送信パワーが第１送信パワーである場合、前記受信ノードが、前記送信許可信号の信号フォーマットが第１信号フォーマットであると決定することと、
前記送信許可信号の送信パワーが第２送信パワーである場合、前記受信ノードが、前記送信許可信号の信号フォーマットが第２信号フォーマットであると決定することであって、前記第２信号フォーマットが占める時間領域の長さは、前記第１信号フォーマットが占める時間領域の長さより大きいこととを含む、
請求項３に記載の信号伝送方法。
【請求項５】
前記第２信号フォーマットは、前記第１信号フォーマットが時間領域でＮ回繰り返した後に形成した信号フォーマットであり、Ｎは１より大きい正整数である、
請求項４に記載の信号伝送方法。
【請求項６】
前記送信許可信号の送信時間と、前記送信要求信号の送信時間との間には時間間隔Ｔ１がある、
請求項１ないし５のいずれか一項に記載の信号伝送方法。
【請求項７】
信号伝送方法であって、
送信ノードが、送信要求信号を受信ノードに送信することと、
前記送信ノードが、少なくとも２つのチャネルフォーマットに従って、前記受信ノードによって送信された送信許可信号を検出することとを含む、前記信号伝送方法。
【請求項８】
前記送信要求信号は少なくとも、前記受信ノードとのデータ伝送の実行を要求するために使用され、前記送信許可信号は少なくとも、前記送信ノードと前記受信ノードとのデータ伝送の実行を許可することを指示するために使用される、
請求項７に記載の信号伝送方法。
【請求項９】
前記少なくとも２つのチャネルフォーマットは、第１チャネルフォーマットおよび第２チャネルフォーマットを含み、前記第２信号フォーマットが占める時間領域の長さは、前記第１信号フォーマットが占める時間領域の長さより大きく、
前記受信ノードが第１送信パワーを使用して前記送信許可信号を送信する場合、前記送信許可信号の信号フォーマットは、前記第１チャネルフォーマットであり、前記受信ノードが第２送信パワーを使用して前記送信許可信号を送信する場合、前記送信許可信号の信号フォーマットは、前記第２チャネルフォーマットであり、前記第２送信パワーは、前記第１送信パワーより小さい、
請求項７または８に記載の信号伝送方法。
【請求項１０】
受信ノード機器であって、
送信ノード機器によって送信された送信要求信号を受信するように構成される送受信ユニットと、
送信許可信号の送信パワーおよび／または信号フォーマットを決定するように構成される決定ユニットとを備え、
前記送受信ユニットは、さらに、前記決定ユニットによって決定された前記送信パワーおよび／または信号フォーマットに従って、前記送信許可信号を前記送信ノード機器に送信するように構成される、前記受信ノード機器。
【請求項１１】
前記送信要求信号は少なくとも、前記受信ノード機器とのデータ伝送の実行を要求するために使用され、前記送信許可信号は少なくとも、前記送信ノード機器と前記受信ノード機器とのデータ伝送の実行を許可することを指示するために使用される、
請求項１０に記載の受信ノード機器。
【請求項１２】
前記送受信ユニットは、さらに、キャリアセンスを実行するようにさらに構成され、
前記決定ユニットは、具体的に、
センシングしたチャンネルパワーが第１閾値より小さい場合、前記送信許可信号の送信パワーが第１送信パワーであると決定し、
センシングしたチャンネルパワーが第２閾値より大きい場合、前記送信許可信号の送信パワーが第２送信パワーであると決定するように構成され、前記第２送信パワーは、前記第１送信パワーより小さい、
請求項１０または１１に記載の受信ノード機器。
【請求項１３】
前記決定ユニットは、さらに、
前記送信許可信号の送信パワーが第１送信パワーである場合、前記送信許可信号の信号フォーマットが第１信号フォーマットであると決定し、
前記送信許可信号の送信パワーが第２送信パワーである場合、前記送信許可信号の信号フォーマットが第２信号フォーマットであると決定するように構成され、前記第２信号フォーマットが占める時間領域の長さが前記第１信号フォーマットが占める時間領域の長さより大きい、
請求項１２に記載の受信ノード機器。
【請求項１４】
送信ノード機器であって、
送信要求信号を受信ノード機器に送信するように構成される送受信ユニットとを備え、
前記送受信ユニットは、さらに、少なくとも２つのチャネルフォーマットに従って、前記受信ノード機器によって送信された送信許可信号を検出するように構成される、前記送信ノード機器。
【請求項１５】
前記送信要求信号は少なくとも、前記受信ノード機器とのデータ伝送の実行を要求するために使用され、前記送信許可信号は少なくとも、前記送信ノード機器と前記受信ノード機器とのデータ伝送の実行を許可することを指示するために使用される、
請求項１４に記載の送信ノード機器。
【国際調査報告】
2021518067.tif 000011
2021518067.tif 000012
2021518067.tif 000013
2021518067.tif 000014